(57)【要約】【課題】ノイズの共振を防ぐことができると共に、モード毎に信号の減衰の割合を設定することができる小型なノイズフィルタを提供する。【解決手段】４層の磁性体層２ａ〜２ｄを積層して積層体２を形成する。また、磁性体層２ｂ，２ｃ間には信号線路３，４を並設すると共に、２枚のグランド電極５によって磁性体層２ｂ，２ｃを挟み伝送線路６を構成する。さらに、信号線路３，４間には誘電体部材７を配設する。これにより、コモンモードの信号は磁性体層２ａ〜２ｄによる磁性損失を用いて減衰することができ、ノーマルモードの信号は誘電体部材７によって実効比透磁率を低下させて波形なまりを防ぎつつ伝搬させることができる。【選択図】　　　　図２
2004140788.tif 000002
【特許請求の範囲】
【請求項１】
絶縁性材料からなる絶縁性媒質と、該絶縁性媒質に間隔をもって並設された２本の信号線路およびグランド電極とによって構成される伝送線路を備え、前記２本の信号線路に互いに同じ方向の信号が伝搬するコモンモードと異なる方向の信号が伝搬するノーマルモードとのうち不要なモードの信号を除去するノイズフィルタであって、
前記絶縁性媒質中でコモンモードの信号とノーマルモードの信号とが作る電磁界のうち概ねいずれか一方のモードの信号が作る電磁界のみが存在する部位には、前記絶縁性媒質とは異なる異性媒質を配設し、当該一方のモードに対して信号の損失を調整したことを特徴とするノイズフィルタ。
【請求項２】
重なり合う複数層の絶縁層からなる絶縁性媒質と、前記複数層の絶縁層間に間隔をもって並設された２本の信号線路と、該２本の信号線路を含んで前記絶縁性媒質を挟んで設けられた２つのグランド電極とによって構成される伝送線路を備え、前記２本の信号線路に互いに同じ方向の信号が伝搬するコモンモードと異なる方向の信号が伝搬するノーマルモードとのうち不要なモードの信号を除去するノイズフィルタであって、
前記絶縁性媒質中でコモンモードの信号とノーマルモードの信号とが作る電磁界のうち概ねいずれか一方のモードの信号が作る電磁界のみが存在する部位には、前記絶縁性媒質とは異なる異性媒質を配設し、当該一方のモードに対して信号の損失を調整したことを特徴とするノイズフィルタ。
【請求項３】
重なり合う複数層の絶縁層からなる絶縁性媒質と、前記複数層の絶縁層間に間隔をもって並設された２本の信号線路と、該２本の信号線路を含んで前記絶縁性媒質を挟んで最上層と最下層とに設けられた２つのグランド電極とによって構成される伝送線路を積み重ね、前記２本の信号線路を複数層間でそれぞれ直列接続する構成とし、前記２本の信号線路に互いに同じ方向の信号が伝搬するコモンモードと異なる方向の信号が伝搬するノーマルモードとのうち不要なモードの信号を除去するノイズフィルタであって、
前記絶縁性媒質中でコモンモードの信号とノーマルモードの信号とが作る電磁界のうち概ねいずれか一方のモードの信号が作る電磁界のみが存在する部位には、前記絶縁性媒質とは異なる異性媒質を配設し、当該一方のモードに対して信号の損失を調整したことを特徴とするノイズフィルタ。
【請求項４】
層状をなす絶縁性媒質と、該絶縁性媒質の表面に間隔をもって並設された２本の信号線路と、前記絶縁性媒質の裏面に設けられたグランド電極とによって構成される伝送線路を備え、前記２本の信号線路に互いに同じ方向の信号が伝搬するコモンモードと異なる方向の信号が伝搬するノーマルモードとのうち不要なモードの信号を除去するノイズフィルタであって、
前記絶縁性媒質中でコモンモードの信号とノーマルモードの信号とが作る電磁界のうち概ねいずれか一方のモードの信号が作る電磁界のみが存在する部位には、前記絶縁性媒質とは異なる異性媒質を配設し、当該一方のモードに対して信号の損失を調整したことを特徴とするノイズフィルタ。
【請求項５】
前記異性媒質は前記２本の信号線路の間に配置してなる請求項１，２，３または４に記載のノイズフィルタ。
【請求項６】
前記絶縁性媒質は磁性体からなる磁性体媒質によって形成し、前記異性媒質は該磁性体媒質よりも比透磁率が小さい低透磁率媒質、非磁性体媒質または空隙によって形成してなる請求項５に記載のノイズフィルタ。
【請求項７】
前記絶縁性媒質は誘電体からなる誘電体媒質によって形成し、該誘電体媒質の表面には前記２本の信号線路の間に位置した切込み溝を凹設し、前記異性媒質は該切込み溝の内部に画成した空隙によって構成してなる請求項４に記載のノイズフィルタ。
【請求項８】
前記絶縁性媒質は磁性体からなる磁性体媒質によって形成し、前記異性媒質は前記２本の信号線路の間に位置して該磁性体媒質よりも比透磁率が小さい低透磁率媒質、非磁性体媒質または空隙によって形成し、該低透磁率媒質、非磁性体媒質または空隙よりも比透磁率が高いコーティング膜によって該低透磁率媒質、非磁性体媒質または空隙と前記２本の信号線路とを覆う構成としてなる請求項４に記載のノイズフィルタ。
【請求項９】
前記信号線路は蛇行したジグザグ状に形成してなる請求項１，２，３，４，５，６，７または８に記載のノイズフィルタ。
【請求項１０】
前記信号線路はコイル状に形成してなる請求項１，２，３，４，５，６，７または８に記載のノイズフィルタ。
【発明の詳細な説明】
【０００１】
【発明の属する技術分野】
本発明は、高速差動インターフェイス等の差動信号を利用した電子回路に用いて好適なノイズフィルタに関する。
【０００２】
【従来の技術】
一般に、差動信号（ノーマルモード信号）を利用した電子回路は、２本の線路からなる差動線路によって構成されている。そして、この差動線路には、種々の原因によって、電磁雑音の放射の原因となるコモンモードノイズ（コモンモード信号）が流れてしまう。このため、差動線路の途中にノイズフィルタとしてのコモンモードチョークコイルを接続し、ノーマルモード信号を通過させるのに対し、コモンモード信号を反射させることによってコモンモードノイズを除去していた。
【０００３】
【発明が解決しようとする課題】
ところで、上述した従来技術では、反射損失によってノイズを抑制しているから、例えば回路間を接続する線路中にノイズフィルタを配設した場合、ノイズフィルタと周辺の回路との間で特定の周波数のノイズが共振することがあり、却ってノイズを増幅してしまうという問題があった。
【０００４】
特に、近年はデジタル機器に用いる信号周波数が高周波化する傾向があり、信号周波数が１００ＭＨｚを超えている電子機器が増加している。このため、コモンモードノイズ等も高周波となっているのに対し、例えばノイズフィルタと周囲の部品との間の線路長や複数の部品間の線路長等が高周波のノイズに対して無視できない寸法となっている。このため、従来技術によるノイズフィルタでは、反射による共振周波数の影響でノイズを十分に除去できなかったり、信号波形を歪ませたりする傾向がある。従って、高周波の信号を用いる電子機器には、従来技術のように反射損失を用いるノイズフィルタは使用し難い傾向があった。
【０００５】
また、例えばフェライト等の媒質中に２本の線路を埋設したチップコイルを用いてノイズフィルタを構成した場合には、２本の線路が一様な媒質中に設けられているから、コモンモードとノーマルモードとのうち一方のモードの信号に対する減衰の割合を定めると、他方のモードの信号に対する減衰（透過）の割合も決定されてしまい、各モードで個別に信号の減衰の割合を設定することが難しい傾向があった。
【０００６】
本発明は上述した従来技術の問題に鑑みなされたもので、本発明の目的は、ノイズの共振を防ぐことができると共に、モード毎に信号の減衰の割合を設定することができる小型なノイズフィルタを提供することにある。
【０００７】
【課題を解決するための手段】
上述した課題を解決するために、請求項１の発明は、絶縁性材料からなる絶縁性媒質と、該絶縁性媒質に間隔をもって並設された２本の信号線路およびグランド電極とによって構成される伝送線路を備え、前記２本の信号線路に互いに同じ方向の信号が伝搬するコモンモードと異なる方向の信号が伝搬するノーマルモードとのうち不要なモードの信号を除去するノイズフィルタであって、前記絶縁性媒質中でコモンモードの信号とノーマルモードの信号とが作る電磁界のうち概ねいずれか一方のモードの信号が作る電磁界のみが存在する部位には、前記絶縁性媒質とは異なる異性媒質を配設し、当該一方のモードに対して信号の損失を調整したことを特徴としている。
【０００８】
このように構成したことにより、伝送線路は絶縁性媒質を介して信号を伝搬するので、絶縁性媒質の熱損失を利用して伝送線路を伝搬する信号を減衰させることができる。このとき、２本の信号線路は間隔をもって並設されているから、各信号線路の信号によって形成される電磁界は、２本の信号線路間で相互に影響する。このため、絶縁性媒質に形成される電磁界分布はコモンモードとノーマルモードとで異なるから、各モード毎に信号の減衰量が異なる。また、絶縁性媒質にはコモンモードの信号とノーマルモードの信号とが作る電磁界のうち概ねいずれか一方のモードの信号が作る電磁界のみが存在する部位に絶縁性媒質とは異なる異性媒質を配設したから、該異性媒質によって各モード毎に実効的な材料特性（周波数特性）を変化させることができる。この結果、各モード毎に信号の減衰量を調整することができ、必要なモードの信号の損失を小さくでき、または不要なモードの信号の損失を大きくすることができる。
【０００９】
また、２つのモードのうち必要なモードの磁界だけが形成される部位に異性媒質として例えば絶縁性媒質よりも比透磁率が小さい材料（低透磁率媒質等）を配置したときには、必要なモードに対する実効比透磁率の周波数特性を変化させることができる。このため、必要なモードの信号に対して損失のピークが生じる周波数を高周波数側にシフトすることができる。従って、不要なモードの信号は低い周波数から除去することができるのに対して、必要なモードの信号は高い周波数成分まで減衰せずに通過させることができ、必要なモードの信号は波形なまりが生じることなく伝達することできる。
【００１０】
請求項２の発明は、重なり合う複数層の絶縁層からなる絶縁性媒質と、前記複数層の絶縁層間に間隔をもって並設された２本の信号線路と、該２本の信号線路を含んで前記絶縁性媒質を挟んで設けられた２つのグランド電極とによって構成される伝送線路を備え、前記２本の信号線路に互いに同じ方向の信号が伝搬するコモンモードと異なる方向の信号が伝搬するノーマルモードとのうち不要なモードの信号を除去するノイズフィルタであって、前記絶縁性媒質中でコモンモードの信号とノーマルモードの信号とが作る電磁界のうち概ねいずれか一方のモードの信号が作る電磁界のみが存在する部位には、前記絶縁性媒質とは異なる異性媒質を配設し、当該一方のモードに対して信号の損失を調整したことを特徴としている。
【００１１】
これにより、２本の信号線路は絶縁性媒質をなす複数層の絶縁層間に設けられているから、絶縁層の熱損失を利用して伝送線路を伝搬する信号を減衰させることができる。また、絶縁性媒質にはコモンモードの信号とノーマルモードの信号とが作る電磁界のうち概ねいずれか一方のモードの信号が作る電磁界のみが存在する部位に絶縁性媒質とは異なる異性媒質を配設したから、該異性媒質によって各モード毎に実効的な材料特性を変化させることができる。この結果、各モード毎に信号の減衰量を調整することができ、必要なモードの信号の損失を小さくでき、または不要なモードの信号の損失を大きくすることができる。
【００１２】
また、信号線路の幅寸法、絶縁層の厚さ寸法、材料特性等を適宜設定することによって、伝送線路のノーマルモード特性インピーダンスを設定することができる。さらに、複数層の絶縁層間に信号線路を配設すると共に、２本の信号線路を含んで前記絶縁性媒質を２つのグランド電極によって挟むから、グランド電極によって複数層の絶縁層間に位置する信号線路をその全長に亘って覆うことにより伝送線路を形成することができる。このため、伝送線路の全長に亘ってコモンモード特性インピーダンスを一定値に設定できるから、伝送線路の途中でノイズに反射が生じることがなく、ノイズの共振を抑制することや波形が歪むのを防止することができる。また、グランド電極によって信号線路をその全長に亘って覆うから、外部から信号線路中にノイズが混入するのを防ぐことができ、信号を確実に伝達することができる。
【００１３】
また、絶縁性媒質中に設けた異性媒質によって、伝送線路のノーマルモード特性インピーダンスとコモンモード特性インピーダンスとを個別に設定することができるから、信号側のノーマルモード特性インピーダンスは外部の回路に対して整合を取った状態で、ノイズ側のコモンモード特性インピーダンスは外部の回路に対して整合を外す構成と整合を取る構成のいずれも選択することができる。整合を外した場合には、反射損失を用いてノイズを抑制することができ、整合を取った場合には、反射に伴う共振等の不都合を回避しつつ絶縁層の熱損失を用いてノイズを抑制することができる。
【００１４】
いずれの場合でも、ノーマルモード特性インピーダンスとは独立してコモンモード特性インピーダンスを設定できるから、反射かつ／または熱損失を利用して従来技術に比べてコモンモード信号に対する伝送損失を大きくすることができる。特に、本発明による構成では、従来技術で見られた高周波域（数１００ＭＨｚ以上）での挿入損失の共振点がないから、１０ＧＨｚ程度までノイズの減衰効果を得ることができる。また、従来技術に比べて、ノーマルモード特性インピーダンスは外部の回路に対して容易に整合させることができ、共振等による信号波形への影響を少なくすることができる。
【００１５】
請求項３の発明は、重なり合う複数層の絶縁層からなる絶縁性媒質と、前記複数層の絶縁層間に間隔をもって並設された２本の信号線路と、該２本の信号線路を含んで前記絶縁性媒質を挟んで最上層と最下層とに設けられた２つのグランド電極とによって構成される伝送線路を積み重ね、前記２本の信号線路を複数層間でそれぞれ直列接続する構成とし、前記２本の信号線路に互いに同じ方向の信号が伝搬するコモンモードと異なる方向の信号が伝搬するノーマルモードとのうち不要なモードの信号を除去するノイズフィルタであって、前記絶縁性媒質中でコモンモードの信号とノーマルモードの信号とが作る電磁界のうち概ねいずれか一方のモードの信号が作る電磁界のみが存在する部位には、前記絶縁性媒質とは異なる異性媒質を配設し、当該一方のモードに対して信号の損失を調整したことを特徴としている。
【００１６】
これにより、各層に設けられた２本の信号線路は絶縁性媒質をなす複数層の絶縁層間に設けられているから、絶縁層の熱損失を利用して伝送線路を伝搬する信号を減衰させることができる。また、絶縁性媒質にはコモンモードの信号とノーマルモードの信号とが作る電磁界のうち概ねいずれか一方のモードの信号が作る電磁界のみが存在する部位に絶縁性媒質とは異なる異性媒質を配設したから、該異性媒質によって各モード毎に実効的な材料特性を変化させることができる。この結果、各モード毎に信号の減衰量を調整することができ、必要なモードの信号の損失を小さくでき、または不要なモードの信号の損失を大きくすることができる。
【００１７】
さらに、伝送線路は、その最上層と最下層とにグランド電極を配置したから、信号線路を複数層の絶縁層間に配置できると共に、２つのグランド電極によって信号線路をその全長に亘って覆うことができる。
【００１８】
また、重なり合う各層の伝送線路はその最上層と最下層にグランド電極を配置するから、外部からの伝送線路中にノイズが混入するのを防ぐことができ、信号を確実に伝達することができる。
【００１９】
また、全ての信号線路の幅寸法をほぼ等しい値に設定すると共に、全ての絶縁層の厚さ寸法、材料特性等をほぼ等しい値に設定した場合には、各層の伝送線路のコモンモード特性インピーダンスを相互にほぼ一致させることができると共に、各層の伝送線路のノーマルモード特性インピーダンスも相互にほぼ一致させることができる。このため、相互に直列接続された伝送線路の全体に亘ってコモンモード特性インピーダンスをほぼ一定値に設定できるから、伝送線路の途中でノイズに反射が生じることがなく、ノイズの共振を抑制することや波形が歪むのを防止することができる。
【００２０】
また、絶縁性媒質中に設けた異性媒質によって、伝送線路のノーマルモード特性インピーダンスとコモンモード特性インピーダンスとを個別に設定することができるから、信号側のノーマルモード特性インピーダンスは外部の回路に対して整合を取った状態で、ノイズ側のコモンモード特性インピーダンスは外部の回路に対して整合を外す構成と整合を取る構成のいずれも選択することができる。いずれの構成を選択した場合でも、ノーマルモード特性インピーダンスとは独立してコモンモード特性インピーダンスを設定できるから、反射かつ／または熱損失を利用して従来技術に比べてコモンモード信号に対する伝送損失を大きくすることができる。特に、本発明による構成では、従来技術で見られた高周波域（数１００ＭＨｚ以上）での挿入損失の共振点がないから、１０ＧＨｚ程度までノイズの減衰効果を得ることができる。また、従来技術に比べて、ノーマルモード特性インピーダンスは外部の回路に対して容易に整合させることができ、共振等による信号波形への影響を少なくすることができる。
【００２１】
さらに、複数層の伝送線路を積み重ねて信号線路を複数層間で直列接続したから、信号線路の全長を長くすることができ、信号線路を通過するノイズの減衰量を増加させることができる。
【００２２】
請求項４の発明は、層状をなす絶縁性媒質と、該絶縁性媒質の表面に間隔をもって並設された２本の信号線路と、前記絶縁性媒質の裏面に設けられたグランド電極とによって構成される伝送線路を備え、前記２本の信号線路に互いに同じ方向の信号が伝搬するコモンモードと異なる方向の信号が伝搬するノーマルモードとのうち不要なモードの信号を除去するノイズフィルタであって、前記絶縁性媒質中でコモンモードの信号とノーマルモードの信号とが作る電磁界のうち概ねいずれか一方のモードの信号が作る電磁界のみが存在する部位には、前記絶縁性媒質とは異なる異性媒質を配設し、当該一方のモードに対して信号の損失を調整したことを特徴としている。
【００２３】
これにより、２本の信号線路は層状をなす絶縁性媒質の表面に設けられているから、絶縁性媒質の熱損失を利用して伝送線路を伝搬する信号を減衰させることができる。また、絶縁性媒質にはコモンモードの信号とノーマルモードの信号とが作る電磁界のうち概ねいずれか一方のモードの信号が作る電磁界のみが存在する部位に絶縁性媒質とは異なる異性媒質を配設したから、該異性媒質によって各モード毎に実効的な材料特性を変化させることができる。この結果、各モード毎に信号の減衰量を調整することができ、必要なモードの信号の損失を小さくでき、または不要なモードの信号の損失を大きくすることができる。さらに、グランド電極によって２本の信号線路を絶縁性媒質の裏面側から全長に亘って覆うことにより伝送線路を形成することができるから、伝送線路の全長に亘ってコモンモード特性インピーダンスを一定値に設定でき、伝送線路の途中でノイズの反射、共振が生じるのを抑制することができる。
【００２４】
また、絶縁性媒質中に設けた異性媒質によって、伝送線路のノーマルモード特性インピーダンスとコモンモード特性インピーダンスとを個別に設定することができるから、信号側のノーマルモード特性インピーダンスは外部の回路に対して整合を取った状態で、ノイズ側のコモンモード特性インピーダンスは外部の回路に対して整合を外す構成と整合を取る構成のいずれも選択することができる。いずれの構成を選択した場合でも、ノーマルモード特性インピーダンスとは独立してコモンモード特性インピーダンスを設定できるから、反射かつ／または熱損失を利用して従来技術に比べてコモンモード信号に対する伝送損失を大きくすることができる。特に、本発明による構成では、従来技術で見られた高周波域（数１００ＭＨｚ以上）での挿入損失の共振点がないから、１０ＧＨｚ程度までノイズの減衰効果を得ることができる。また、従来技術に比べて、ノーマルモード特性インピーダンスは外部の回路に対して容易に整合させることができ、共振等による信号波形への影響を少なくすることができる。
【００２５】
請求項５の発明は、前記異性媒質を前記２本の信号線路の間に配置したことにある。
【００２６】
このとき、２本の信号線路は間隔をもって並設されているから、コモンモードのときには２本の信号線路を全体として取囲む磁束が形成されるのに対し、ノーマルモードのときには２本の信号線路をそれぞれ独立して取囲む磁束が形成される。このため、コモンモードのときには２本の信号線路の間に磁束が形成されないのに対し、ノーマルモードのときには２本の信号線路の間を横切る磁束（磁界）が形成される。従って、異性媒質を２本の信号線路の間に配置したことによって、ノーマルモードの磁束だけを調整することができる。
【００２７】
また、２本の信号線路は間隔をもって並設されているから、コモンモードのときには２本の信号線路と例えばグランド電極との間に電束（電界）が形成されるのに対し、ノーマルモードのときには２本の信号線路の間を結ぶ電束が形成される。従って、異性媒質を２本の信号線路の間に配置したことによって、ノーマルモードの電束だけを調整することができる。
【００２８】
請求項６の発明では、前記絶縁性媒質は磁性体からなる磁性体媒質によって形成し、前記異性媒質は該磁性体媒質よりも比透磁率が小さい低透磁率媒質、非磁性体媒質または空隙によって形成している。
【００２９】
これにより、磁性体媒質の磁性損失（熱損失）を用いて信号を減衰させることができる。また、２本の信号線路の間には、磁性体媒質よりも比透磁率が小さい低透磁率媒質等を配置するから、２つのモードのうちノーマルモードに対する実効比透磁率の周波数特性を変化させ、必要なモードであるノーマルモードで損失のピークが生じる周波数を高周波数側にシフトすることができる。従って、コモンモードの信号は低い周波数から除去することができるのに対して、ノーマルモードの信号は高い周波数成分まで減衰せずに通過させることができ、ノーマルモードの信号は波形なまりが生じることなく伝達することできる。
【００３０】
請求項７の発明では、前記絶縁性媒質は誘電体からなる誘電体媒質によって形成し、該誘電体媒質の表面には前記２本の信号線路の間に位置した切込み溝を凹設し、前記異性媒質は該切込み溝の内部に画成した空隙によって構成している。
【００３１】
これにより、誘電体媒質の誘電損失（熱損失）を用いて信号を減衰させることができる。また、２本の信号線路の間には切込み溝を凹設したから、切込み溝の内部に画成した空隙によって２つのモードのうちノーマルモードに対する実効比誘電率を低下させることができる。このため、ノーマルモードの信号の損失を小さくすることができる。
【００３２】
請求項８の発明では、前記絶縁性媒質は磁性体からなる磁性体媒質によって形成し、前記異性媒質は前記２本の信号線路の間に位置して該磁性体媒質よりも比透磁率が小さい低透磁率媒質、非磁性体媒質または空隙によって形成し、該低透磁率媒質、非磁性体媒質または空隙よりも比透磁率が高いコーティング膜によって該低透磁率媒質、非磁性体媒質または空隙と前記２本の信号線路とを覆う構成としている。
【００３３】
これにより、磁性体媒質およびコーティング膜の磁性損失（熱損失）を用いて信号を減衰させることができる。また、２本の信号線路の間には、磁性体媒質よりも比透磁率が小さい低透磁率媒質等を配置するから、２つのモードのうちノーマルモードに対する実効比透磁率の周波数特性を変化させ、必要なモードであるノーマルモードで損失のピークが生じる周波数を高周波数側にシフトすることができる。従って、コモンモードの信号は低い周波数から除去することができるのに対して、ノーマルモードの信号は高い周波数成分まで減衰せずに通過させることができ、ノーマルモードの信号は波形なまりが生じることなく伝達することできる。
【００３４】
請求項９の発明では、前記信号線路は蛇行したジグザグ状に形成し、請求項１０の発明では、前記信号線路はコイル状に形成している。これにより、信号線路を直線状に形成した場合に比べて、その長さ寸法を増加させることができ、不要なモードの信号（ノイズ）に対する減衰量を増加させることができる。
【００３５】
【発明の実施の形態】
以下、本発明の実施の形態によるノイズフィルタを添付図面に従って詳細に説明する。
【００３６】
図１ないし図９は第１の実施の形態に係り、１は本実施の形態によるノイズフィルタで、該ノイズフィルタ１は後述する磁性体層２ａ〜２ｄ、信号線路３，４、グランド電極５、誘電体部材７、信号用電極端子８，９、グランド用電極端子１０によって大略構成されている。
【００３７】
２は絶縁性媒質としての積層体で、該積層体２は略角柱形状をなし、ノイズフィルタ１の外形を構成している。また、積層体２は、絶縁層をなす４層の磁性体層２ａ〜２ｄからなり、例えば４枚の磁性体シートを相互に積層した状態でプレスし、焼成することによって形成されている。そして、磁性体層２ａ〜２ｄは、略四角形の板状に形成され、例えばフェライト等の磁性特性を有するセラミックス材料（磁性体）によって形成され、その比透磁率μｒ０は例えば４〜１０００程度の値（４≦μｒ０≦１０００）に設定されると共に、その比誘電率εｒ０は例えば１０程度の値に設定されている。
【００３８】
なお、磁性体層２ａ，２ｄには必ずしも磁性体を用いる必要はなく、磁性体層２ｂ，２ｃとは異なる材料として、例えば、磁性体層２ａには絶縁性の樹脂皮膜を用い、磁性体層２ｄにはアルミナ等の絶縁性のセラミック基板（絶縁性基板）を用いてもよい。また、磁性体層２ａは省く構成としてもよい。さらに、図２中で磁性体層２ｄの表面に形成されているグランド電極５を磁性体層２ｃの裏面に形成することによって、磁性体層２ｄを省くことも可能である。但し、製造コストを低減するためには、４層の磁性体層２ａ〜２ｄは全て同じ材料を用いることが好ましい。
【００３９】
また、磁性体層２ａ〜２ｄには、例えばフェライト板等のように予め焼成された磁性体層を用いることも可能である。この場合、それぞれの磁性体層は特性に影響を与えない程度の薄い接着層を用いて結合されるものである。
【００４０】
３，４は磁性体層２ｂ，２ｃ間に配設された２本の信号線路で、該信号線路３，４は、一定の間隔をもって平行に延び、磁性体層２ｂ，２ｃの短尺方向（幅方向）に往復するジグザグ状（ミアンダ状）をなして長尺方向（長さ方向）に向けて延びている。なお、信号線路３，４の延びる方向は長尺方向と短尺方向とが入れ替わっても良い。そして、信号線路３，４は、例えば銀ペースト、パラジウム等の導電性金属材料によって略帯状に形成されると共に、その両端側が電極部３Ａ，４Ａとなって後述の信号用電極端子８，９にそれぞれ接続されている。
【００４１】
また、信号線路３，４は、後述の２枚のグランド電極５に対して厚さ方向の略中央に位置し、略全長に亘って２枚のグランド電極５によって覆われて伝送線路６を形成している。さらに、信号線路３，４は、互いに同じ一定の幅寸法を有すると共に、２枚のグランド電極５間の距離寸法が磁性体層２ｂ，２ｃの全面に亘ってほぼ一定値に保持されている。そして、伝送線路６の特性インピーダンスは、信号線路３，４の幅寸法、グランド電極５間の距離寸法、磁性体層２ｂ，２ｃの透磁率および誘電率によってほぼ決定されるから、伝送線路６の特性インピーダンスは、全長に亘ってほぼ一定値に設定されている。
【００４２】
５は磁性体層２ｂの表面側と磁性体層２ｃの裏面側とにそれぞれ設けられた２枚のグランド電極で、これらのグランド電極５は、ノイズフィルタ１のうち厚さ方向の中間に位置する２枚の磁性体層２ｂ，２ｃを上，下方向から挟むものである。また、各グランド電極５は、例えば銀ペースト、パラジウム等の導電性金属材料を用いて略四角形の平板状に形成され、磁性体層２ｂ，２ｃを略全面に亘って覆っている。さらに、グランド電極５のうち略四角状をなす磁性体層２ｂ，２ｃの長さ方向（図２中の前，後方向）中間位置には、幅方向（図２中の左，右方向）両端側に向けて舌状に突出して延びる電極部５Ａが設けられ、該電極部５Ａは後述のグランド用電極端子１０に接続されている。そして、各グランド電極５は、磁性体層２ｂ，２ｃおよび２本の信号線路３，４と一緒に伝送線路６を構成し、磁性体層２ａ，２ｄによって覆われている。
【００４３】
７は２本の信号線路３，４の間に設けられた異性媒質としての非磁性体媒質からなる誘電体部材で、該誘電体部材７は、その比透磁率μｒ１が磁性体層２ｂ，２ｃの比透磁率μｒ０よりも小さい値として例えば１程度の値（μｒ１≒１）に設定されると共に、その比誘電率εｒ１が例えば磁性体層２ｂ，２ｃの比誘電率εｒ０とほぼ同じ値に設定されている。そして、誘電体部材７は、互いに並設された２本の信号線路３，４間の隙間を埋めている。
【００４４】
なお、図３、図４中では異性媒質（誘電体部材７）の厚みは信号線路３，４の厚みとほぼ一致する構成とした。しかし、本発明はこれに限定されるものではなく、例えばコモンモードとノーマルモードとの特性差を大きくするためには、コモンモードの電磁界を妨げない範囲で異性媒質を厚く形成した方がよい。
【００４５】
また、異性媒質には、誘電体部材７に代えて磁性体層２ｂ，２ｃよりも比透磁率が低い磁性体部材（低透磁率媒質）を用いてもよい。また、２本の信号線路３，４間に空隙（空間）を形成し、該空隙によって異性媒質を形成してもよい。さらに、誘電体部材７の比誘電率εｒ１は、必ずしも磁性体層２ｂ，２ｃの比誘電率εｒ０とほぼ同じ値に設定する必要はなく、例えばノーマルモードの特性インピーダンスが所定の値となるように適宜設定されるものである。
【００４６】
また、絶縁性媒質や異性媒質の材料はフィルタの使用目的や製造工程上の都合により選定される。即ち、絶縁性媒質を選択する場合、ノイズ抑制の対象周波数が低いものから順に、例えば鱗片状純鉄粉を樹脂中に分散させたコンポジット材、Ｍｎ−Ｚｉ系フェライト、Ｎｉ−Ｚｎ系フェライト、六方晶系フェライト等の材料が選定される。一方、異性媒質を選択する場合、異性媒質の比透磁率μｒ１を１（μｒ１＝１）に設定することが特性的には望ましい。しかし、例えば焼成時の熱膨張率差による破損等を考慮すると、異性媒質は、絶縁性媒質との材料の性状の違いが小さい方がよく、例えば異性媒質と絶縁性媒質との組合せとして、ガラスとフェライトとの組合せの選択の他に、低透磁率フェライトと高透磁率フェライトとの組合せを選択することも考えられる。
【００４７】
８，９は積層体２（磁性体層２ａ〜２ｄ）の四隅側にそれぞれ設けられた信号用電極端子で、該信号用電極端子８，９は、略コ字状をなし、積層体２の長さ方向の端面側に位置して当該端面のうち幅方向の両端側を覆うと共に、その一部が積層体２の表面と裏面とに延伸している。そして、信号用電極端子８，９は、例えば積層体２の両端側に導電性金属材料を塗布した後に、この導電性金属材料を焼成し、メッキ処理を施すことによって形成され、信号線路３，４の電極部３Ａ，４Ａにそれぞれ接続されている。
【００４８】
１０は積層体２の長さ方向中間位置で幅方向の両端側にそれぞれ設けられたグランド用電極端子で、該グランド用電極端子１０は、略コ字状をなし、積層体２の側面に厚さ方向に沿って帯状に延びると共に、その一部が積層体２の表面と裏面とに延伸している。そして、グランド用電極端子１０は、例えば積層体２の側面側に導電性金属材料を塗布した状態で焼成、メッキ処理を施すことによって形成され、グランド電極５の電極部５Ａに接続されている。
【００４９】
本実施の形態によるノイズフィルタ１は上述の如く構成されるものであり、次にその作動について説明する。
【００５０】
まず、差動信号が伝達される２本の配線が設けられた基板上にノイズフィルタ１を配置し、各配線の途中に信号用電極端子８，９をそれぞれ接続すると共に、グランド用電極端子１０をグランド端子に接続する。これにより、信号は信号線路３，４とグランド電極５とによって形成される伝送線路６を通じて伝達されると共に、グランド電極５はグランド電位に保持される。
【００５１】
ここで、信号線路３，４にコモンモードの信号が伝搬するときには、信号線路３，４に通電している電流の向きが同方向となる。このとき、信号線路３，４は互いに近接して並設されているから、それぞれの信号線路３，４による磁束が相互に強め合い、コモンモードの信号に対して信号線路３，４が１本の線路のようにふるまう。また、信号線路３，４は磁性体層２ｂ，２ｃの間に形成されている。このため、コモンモードの信号に対して、信号線路３，４およびグランド電極５によって形成される伝送線路６は、図５の等価回路に示すように、インダクタンスＬを持ち、かつ、磁性体層２ｂ，２ｃの誘電率によりグランド電極５との間に容量Ｃを持つ。
【００５２】
即ち、信号線路３，４は、コモンモードの信号に対しては分布定数回路と等価に機能して、当該信号線路３，４を流れるコモンモードの信号は、インダクタンスＬ、容量Ｃが一定に保たれる周波数域においては、損失無く伝送される。一方、コモンモードの信号の周波数が高くなると、磁性体層２ｂ，２ｃの透磁率が変化し、図６の等価回路のように、インダクタンスＬには損失分Ｒ（磁性損失）が生じる。このため、磁性損失によって高周波数域のコモンモードの信号は減衰する。
【００５３】
これに対し、信号線路３，４にノーマルモードの信号が伝搬するときには、主として信号線路３，４間で、図５の等価回路に示されるような伝送線路６を形成する。このとき、信号線路３，４に通電している電流の向きが逆方向で、かつ通電量がほぼ等しくなる。このため、それぞれの信号線路３，４による磁束は互いに打ち消し合う（相殺する）から、インダクタンスＬおよび損失分Ｒ（磁性損失）はいずれもコモンモードの場合よりも低減される。
【００５４】
しかしながら、均一な媒質中に信号線路３，４を形成した場合、コモンモードとノーマルモードとのいずれのモードであっても実効的な材料特性は変わらない。即ち、どの周波数でも、コモンモード対ノーマルモードの損失の比率は変わらず、信号を通したければノイズ抑制効果が損なわれ、ノイズ抑制効果を高めれば信号が減衰してしまうという不都合がある。
【００５５】
これに対し、本実施の形態では、信号線路３，４の間に磁性体層２ｂ，２ｃの比透磁率μｒ０よりも小さい比透磁率μｒ１をもった誘電体部材７を設けたから、ノーマルモードで発生する磁束φｎは、図３に示すように誘電体部材７を通過する（横切る）のに対し、コモンモードで発生する磁束φｃは、図４に示すように誘電体部材７を通過しない。このため、誘電体部材７を設けた場合と設けない場合とを比較したときには、ノーマルモードで発生する磁束φｎの通り道では、誘電体部材７によって実効比透磁率μｗｎが低下するのに対し、コモンモードで発生する磁束φｃの通り道では、実効比透磁率μｗｃは低下しない。
【００５６】
このとき、図７に示すように、一般に実効比透磁率が低下すると、損失のピークが生じる周波数（実効比透磁率に対応した透磁率の実部μ′と虚部μ″が同じ値となる周波数）が高周波側にシフトする傾向がある。このため、誘電体部材７を設けない場合には、例えば図８に示すように、数ＭＨｚ程度で損失のピークが生じるのに対して、誘電体部材７を設けた場合には、例えば図９に示すように、数十ＭＨｚ程度で損失のピークが生じる。このとき、透磁率の虚部μ″と実部μ′との比率（μ″／μ′）および実部μ′の大きさによって定まる損失の大きさ自体も、誘電体部材７を設けない場合に比べて誘電体部材７を設けた場合の方が小さくなる。
【００５７】
従って、ノーマルモードの信号に対しては、磁性損失Ｒのピークが生じる周波数が高周波側にシフトすると共に、磁性損失Ｒ自体も小さくなる。この結果、コモンモードの信号は低い周波数から除去できるのに対して、ノーマルモードの信号は、高い周波数成分まで減衰せずに伝搬することができる。このため、必要なモードであるノーマルモードの信号を波形なまりが生じることなく伝送することができ、波形品質の維持とノイズ除去効果とを両立させることができる。
【００５８】
また、信号線路３，４のそれぞれの幅寸法、磁性体層２ｂ，２ｃの厚さ寸法（グランド電極５間の距離寸法）を適宜設定することによって、各信号線路３，４の特性インピーダンスを設定することができる。さらに、信号線路３，４間の距離によって、ノーマルモードの特性インピーダンスを設定することができる。ここで、磁性体材料の比誘電率や比透磁率が一定の周波数領域では、これらの特性インピーダンスをほぼ一定値に保持することができる。このため、信号周波数がこの領域にあたるように材料特性を定めることによって、ノイズフィルタ１に接続される回路に対してインピーダンス整合を取ることができ、ノイズフィルタ１の反射損失を低下させ、共振によるノイズの増大や信号波形の乱れを防止することができる。
【００５９】
さらに、２層の磁性体層２ｂ、２ｃ間に信号線路３，４を配設すると共に、当該２層の磁性体層２ｂ，２ｃを２つのグランド電極５によって挟む構成としたから、２つのグランド電極５によって磁性体層２ｂ，２ｃ間に位置する信号線路３，４をその全長に亘って覆うことにより伝送線路６を形成することができる。このため、伝送線路６の全長に亘ってコモンモード特性インピーダンスを一定値に設定できるから、伝送線路６の途中でノイズに反射が生じることがなく、ノイズの共振を抑制することができる。また、２つのグランド電極５によって信号線路３，４をその全長に亘って覆うから、外部からの信号線路３，４中にノイズが混入するのを防ぐことができ、信号を確実に伝達することができる。
【００６０】
また、誘電体部材７によって、伝送線路６のノーマルモード特性インピーダンスとコモンモード特性インピーダンスとを個別に設定することができるから、信号側のノーマルモード特性インピーダンスは接続対象となる外部に回路に対して整合を取った状態で、ノイズ側のコモンモード特性インピーダンスは外部の回路に対して整合を外す構成と整合を取る構成のいずれの構成も選択することができる。整合を外した場合には、反射損失を用いてノイズを抑制することができ、整合を取った場合には、反射に伴う共振等の不都合を回避しつつ磁性体層２ｂ，２ｃの熱損失を用いてノイズを抑制することができる。
【００６１】
いずれの場合でも、ノーマルモード特性インピーダンスとは独立してコモンモード特性インピーダンスを設定できるから、反射かつ／または熱損失を利用して従来技術に比べてコモンモード信号に対する伝送損失を大きくすることができる。特に、本実施の形態では、従来技術で見られた高周波域（数１００ＭＨｚ以上）での挿入損失の共振点がないから、１０ＧＨｚ程度までノイズの減衰効果を得ることができる。また、信号線路３，４の幅寸法、磁性体層２ｂ，２ｃの厚さ寸法、材料特性等を適宜設定することによって、従来技術に比べて、ノーマルモード特性インピーダンスは外部の回路に対して容易に整合させることができ、共振等による信号波形への影響を少なくすることができる。
【００６２】
なお、本実施の形態では、コモンモードノイズの周波数が低い場合には、当該コモンモードノイズを透過させる性質を有し、ローパスフィルタのように動作する。つまり、ノイズフィルタ１には、周波数によってコモンモードノイズの通過域と減衰域とがある。この通過域と減衰域は、磁性体層２ｂ，２ｃの磁性材料の組成（比透磁率）および信号線路３，４の長さ寸法を調整することによって定める。このため、コモンモードノイズの周波数を考慮し、減衰対象のコモンモードノイズを確実に減衰させることができるように磁性体層２ｂ，２ｃの材料組成、信号線路３，４の長さ寸法が設定されている。
【００６３】
かくして、本実施の形態によれば、２層の磁性体層２ｂ，２ｃ間に信号線路３，４を配設すると共に、これらの磁性体層２ｂ，２ｃを２つのグランド電極５によって覆う構成としたから、磁性体層２ｂ，２ｃを構成する磁性材料の磁性損失（熱損失）を用いることによってコモンモードノイズを抑制することができる。また、誘電体部材７（異性媒質）を用いて実効比透磁率を下げることにより、実効比透磁率を高い周波数まで一定となるようにしたので、信号線路３，４のノーマルモード特性インピーダンスを広い周波数でほぼ一定値に保持することができるから、外部の回路とのインピーダンス整合を容易に取ることができる。このため、ノイズフィルタ１の反射損失を低下させることができ、共振によるノイズの増大や信号波形の乱れを防止することができる。
【００６４】
また、信号線路３，４の間には誘電体部材７を設けたから、コモンモードモードの信号に影響を与えることなく、ノーマルモードの信号に対して実効比透磁率μｗｎの周波数特性を変化させ、磁性損失Ｒのピークが生じる周波数が高周波側にシフトさせることができる。このため、コモンモードの信号は低い周波数から除去できるのに対して、ノーマルモードの信号は高い周波数成分まで減衰せずに伝搬することができる。この結果、コモンモードの信号に対するノイズ除去効果を維持しつつ、ノーマルモードの信号に対する波形なまりを防止して波形品質の維持することができる。
【００６５】
さらに、２つのグランド電極５によって磁性体層２ｂ，２ｃ間に位置する信号線路３，４をその全長に亘って覆うことができるから、信号線路３，４およびグランド電極５によって形成される伝送線路６の全長に亘ってコモンモード特性インピーダンスを一定値に設定することができ、伝送線路６の途中でノイズが反射することがないのに加え、外部から伝送線路６中にノイズが混入するのを防ぐことができ、信号を確実に伝達することができる。
【００６６】
また、誘電体部材７によって、伝送線路６のノーマルモード特性インピーダンスとコモンモード特性インピーダンスとを個別に設定することができるから、信号側のノーマルモード特性インピーダンスは外部に回路に整合を取った状態で、ノイズ側のコモンモード特性インピーダンスは外部の回路に対して整合を外す構成と整合を取る構成とのいずれの構成も選択することができる。そして、いずれの構成を選択した場合でも、反射かつ／または熱損失を利用して従来技術に比べてコモンモード信号に対する伝送損失を大きくすることができる。特に、本実施の形態では、従来技術で見られた高周波域（数１００ＭＨｚ以上）での挿入損失の共振点がないから、１０ＧＨｚ程度までノイズの減衰効果を得ることができる。また、ノーマルモード特性インピーダンスは外部の回路に対して容易に整合させることができ、共振等によるノーマルモード信号波形への影響を少なくすることができる。
【００６７】
また、磁性体層２ａ〜２ｄは略四角状に形成し、該磁性体層２ａ〜２ｄの長さ方向両端側には信号線路３，４の両端に接続された信号用電極端子８，９を設け、該磁性体層２ａ〜２ｄの長さ方向中間位置にはグランド電極５に接続されたグランド用電極端子１０を設ける構成としたから、直線状に延びる配線の途中に磁性体層２ａ〜２ｄの長さ方向両端側に位置する信号用電極端子８，９を容易に接続することができる。また、磁性体層２ａ〜２ｄの長さ方向中間位置に設けられたグランド用電極端子１０も配線の周辺に設けられたグランド端子に容易に接続することができるから、ノイズフィルタ１の組付け性を向上することができる。
【００６８】
さらに、信号線路３，４を蛇行したジグザグ状に形成したから、信号線路３，４の長さ寸法を増加させることができ、ノイズの減衰量を増加させることができる。
【００６９】
なお、前記第１の実施の形態では、信号線路３，４をジグザグ状に形成するものとしたが、図１０に示す第１の変形例のように、信号線路３′，４′をコイル状（渦巻き状）に形成してもよい。
【００７０】
次に、図１１ないし図１４は本発明の第２の実施の形態によるノイズフィルタを示し、本実施の形態によるノイズフィルタの特徴は、磁性体層の表面に２本の信号線路を並設し、磁性体層の裏面にグランド電極を設け、２本の信号線路の間には誘電体部材を設けると共に、２本の信号線路を磁性特性を有するコーティング膜によって覆う構成としたことにある。
【００７１】
１１は本実施の形態によるノイズフィルタで、該ノイズフィルタ１１は後述する磁性体層１２ａ，１２ｂ、信号線路１３，１４、グランド電極１５、誘電体部材１７、コーティング膜１８、信号用電極端子１９，２０、グランド用電極端子２１によって大略構成されている。
【００７２】
１２はノイズフィルタ１１の外形を構成する略角柱状の積層体で、該積層体１２は、２層の磁性体層１２ａ，１２ｂを焼成することによって形成され、各磁性体層１２ａ，１２ｂは、第１の実施の形態と同様に例えばフェライト等を用いて略四角形（長方形）の板状に形成されている。
【００７３】
１３，１４は磁性体層１２ａの表面に配設された２本の信号線路で、該信号線路１３，１４は、一定の間隔をもって平行に延び、ジグザグ状をなしつつ磁性体層１２ａの長さ方向に向けて延びている。そして、信号線路１３，１４は、第１の実施の形態と同様に導電性金属材料によって略帯状に形成され、後述するグランド電極１５によってその裏面側が略全長に亘って覆われることによって伝送線路１６を形成している。また、信号線路１３，１４は、その両端側が電極部１３Ａ，１４Ａとなって後述の信号用電極端子１９，２０にそれぞれ接続されている。
【００７４】
１５は磁性体層１２ａの裏面側（磁性体層１２ａ，１２ｂ間）に設けられたグランド電極で、該グランド電極１５は、導電性金属材料を用いて略四角形の平板状に形成され、磁性体層１２ａの裏面側を略全面に亘って覆っている。さらに、グランド電極１５のうち略四角状をなす磁性体層１２ａの長さ方向中間位置には、幅方向両端側に向けて舌状に突出して延びる電極部１５Ａが設けられ、該電極部１５Ａは後述のグランド用電極端子２１に接続されている。そして、グランド電極１５は、磁性体層１２ａおよび２本の信号線路１３，１４と一緒に伝送線路１６を構成している。
【００７５】
１７は２本の信号線路１３，１４の間に設けられた異性媒質としての誘電体部材で、該誘電体部材１７は、第１の実施の形態による誘電体部材７とほぼ同様の材料を用いて形成され、その比透磁率μｒ１が磁性体層１２ａの比透磁率μｒ０よりも小さい値（μｒ１≒１）に設定されると共に、その比誘電率εｒ１が磁性体層１２ａの比誘電率εｒ０とほぼ同じ値に設定されている。そして、誘電体部材１７は、互いに並設された２本の信号線路１３，１４間の隙間を埋めている。
【００７６】
１８は積層体１２の表面に設けられたコーティング膜で、該コーティング膜１８は、例えば樹脂材料に磁粉を混入することによって形成されている。また、コーティング膜１８は、例えば磁性体層１２ａの比透磁率μｒ０とほぼ同じ値の比透磁率μｒ２を有し、比透磁率μｒ２は誘電体部材１７の比透磁率μｒ１よりも高い値に設定されている。そして、コーティング膜１８は、誘電体部材１７を含めて２本の信号線路１３，１４を覆っている。
【００７７】
１９，２０は積層体１２の四隅側にそれぞれ設けられた信号用電極端子で、該信号用電極端子１９，２０は、第１の実施の形態と同様に導電性金属材料等によって略コ字状に形成されると共に、信号線路１３，１４の電極部１３Ａ，１４Ａにそれぞれ接続されている。
【００７８】
２１は積層体１２の長さ方向中間位置で幅方向の両端側にそれぞれ設けられたグランド用電極端子で、該グランド用電極端子２１は、第１の実施の形態と同様に導電性金属材料等によって略コ字状に形成されると共に、グランド電極１５の電極部１５Ａに接続されている。
【００７９】
かくして、本実施の形態でも２本の信号線路１３，１４の間に誘電体部材１７を設けると共に、これらの信号線路１３，１４と誘電体部材１７をコーティング膜１８によって覆ったから、図１３および図１４に示すように、ノーマルモードとコモンモードのいずれの場合でも、コーティング膜１８と磁性体層１２ａの内部に磁束φｎ，φｃを閉じ込めることができると共に、コモンモードの実効比透磁率μｗｃに影響を与えることなく、ノーマルモードの実効比透磁率μｗｎを低下させることができる。このため、第１の実施の形態とほぼ同様の作用効果を得ることができる。
【００８０】
なお、材料の選定、配線の方法等は第２の実施の形態に示したものに限らず、第１の実施の形態と同様に種々の変更が可能である。
【００８１】
次に、図１５および図１６は本発明の第３の実施の形態によるノイズフィルタを示し、本実施の形態によるノイズフィルタの特徴は、重なり合う複数層の磁性体層と、該複数層の磁性体層間に間隔をもって並設された第１，第２の信号線路と、該２本の信号線路を含んで前記磁性体層を挟んで最上層と最下層とに設けられた２つのグランド電極とによって伝送線路を構成し、該伝送線路を複数層（例えば２層）積み重ね、第１，第２の信号線路を複数層間でそれぞれ直列接続すると共に、各層毎に第１，第２の信号線路の間に誘電体部材を設けたことにある。
【００８２】
３１は本実施の形態によるノイズフィルタで、該ノイズフィルタ３１は後述する磁性体層３２ａ〜３２ｈ、第１の信号線路３３，３５，３７、第２の信号線路３４，３６，３８、グランド電極３９、誘電体部材４１、第１，第２の信号用電極端子４２，４３、グランド用電極端子４４によって大略構成されている。
【００８３】
３２はノイズフィルタ３１の外形を構成する略角柱状の積層体で、該積層体３２は、例えば８層の磁性体層３２ａ〜３２ｈを積層することによって形成されている。そして、磁性体層３２ａ〜３２ｈは、略四角形の板状に形成され、第１の実施の形態による磁性体層２ａ〜２ｄと同様にフェライト等の磁性特性を有するセラミックス材料によって形成されている。
【００８４】
３３，３４は磁性体層３２ｂ，３２ｃ間に設けられた１層目の第１，第２の信号線路で、該信号線路３３，３４は、第１の実施の形態による信号線路３，４と同様に、互いに一定の間隔をもって平行に延び、導電性金属材料によってジグザグ状に形成されている。そして、信号線路３３，３４は、後述するように磁性体層３２ｂ，３２ｃの最上層と最下層とに設けられた２枚のグランド電極３９に覆われることによって１層目の伝送線路４０Ａを形成している。
【００８５】
また、信号線路３３，３４の一端側は、積層体３２の長さ方向一端側に向かって延びた電極部３３Ａ，３４Ａをなし、信号線路３３，３４の他端側は、積層体３２の長さ方向他端から離間して磁性体層３２ｃ，３２ｄを貫通するスルーホール３３Ｂ，３４Ｂが設けられている。そして、これらのスルーホール３３Ｂ，３４Ｂ内には導電性材料が充填され、信号線路３３，３４は後述の信号線路３５，３６にそれぞれ直列接続されている。
【００８６】
３５，３６は磁性体層３２ｄ，３２ｅ間に設けられた２層目の第１，第２の信号線路で、該信号線路３５，３６は、第１の実施の形態による信号線路３，４と同様に、互いに一定の間隔をもって平行に延び、導電性金属材料によってジグザグ状に形成されている。そして、信号線路３５，３６は、後述するように磁性体層３２ｄ，３２ｅの最上層と最下層とに設けられた２枚のグランド電極３９に覆われることによって２層目の伝送線路４０Ｂを形成している。
【００８７】
また、信号線路３５，３６の一端側は、信号線路３３，３４のスルーホール３３Ｂ，３４Ｂと対向した位置に設けられ信号線路３３，３４と接続される接続部３５Ａ，３６Ａとなり、信号線路３５，３６の他端側は、積層体３２の長さ方向一端から離間して磁性体層３２ｅ，３２ｆを貫通するスルーホール３５Ｂ，３６Ｂが設けられている。そして、これらのスルーホール３５Ｂ，３６Ｂ内には導電性材料が充填され、信号線路３５，３６は後述の信号線路３７，３８にそれぞれ直列接続されている。
【００８８】
３７，３８は磁性体層３２ｆ，３２ｇ間に設けられた３層目の第１，第２の信号線路で、該信号線路３７，３８は、第１の実施の形態による信号線路３，４と同様に、互いに一定の間隔をもって平行に延び、導電性金属材料によってジグザグ状に形成されている。そして、信号線路３７，３８は、後述するように磁性体層３２ｆ，３２ｇの最上層と最下層とに設けられた２枚のグランド電極３９に覆われることによって３層目の伝送線路４０Ｃを形成している。
【００８９】
また、信号線路３７，３８の一端側は、信号線路３５，３６のスルーホール３５Ｂ，３６Ｂと対向した位置に設けられ信号線路３５，３６と接続される接続部３７Ａ，３８Ａをなし、信号線路３７，３８の他端側は、積層体３２の長さ方向他端側に向かって延びた電極部３７Ｂ，３８Ｂとなっている。
【００９０】
ここで、信号線路３３〜３８の幅寸法はほぼ等しい値に設定されると共に、磁性体層３２ｂ〜３２ｇの厚さ寸法はほぼ等しい値に設定されている。これにより、１〜３層目の伝送線路４０Ａ〜４０Ｃの特性インピーダンスは互いにほぼ等しい値に設定されると共に、これらの伝送線路４０Ａ〜４０Ｃの特性インピーダンスは、その全長に亘ってほぼ一定値に設定されている。
【００９１】
３９は第１の信号線路３３，３５，３７および第２の信号線路３４，３６，３８を各層毎に挟むように磁性体層３２ａ〜３２ｈの間にそれぞれ設けられた合計４枚のグランド電極で、各グランド電極３９は、磁性体層３２ｂ〜３２ｇの最上層と最下層とにそれぞれ配置されると共に、磁性体層３２ｂ〜３２ｇ間に信号線路３３〜３８と交互に積み重ねられている。これにより、信号線路３３，３４を含めて磁性体層３２ｂ，３２ｃを挟む２枚のグランド電極３９は１層目の伝送線路４０Ａを構成し、信号線路３５，３６を含めて磁性体層３２ｄ，３２ｅを挟む２枚のグランド電極３９は２層目の伝送線路４０Ｂを構成すると共に、信号線路３７，３８を含めて磁性体層３２ｆ，３２ｇを挟む２枚のグランド電極３９は３層目の伝送線路４０Ｃを構成している。
【００９２】
そして、グランド電極３９は、導電性金属材料を用いて略四角形の平板状に形成され、磁性体層３２ｂ〜３２ｇを略全面に亘って覆っている。さらに、グランド電極３９には第１の実施の形態によるグランド電極５とほぼ同様に幅方向両端側に向けて突出した電極部３９Ａが設けられ、該電極部３９Ａは後述のグランド用電極端子４４に接続されている。
【００９３】
４１は信号線路３３，３４間、信号線路３５，３６間および信号線路３７，３８間にそれぞれ設けられた異性媒質としての誘電体部材で、該誘電体部材４１は、第１の実施の形態による誘電体部材７とほぼ同様の材料を用いて形成され、その比透磁率μｒ１が磁性体層３２ｂ〜３２ｇの比透磁率μｒ０よりも小さい値（μｒ１≒１）に設定されると共に、その比誘電率εｒ１が磁性体層３２ｂ〜３２ｇの比誘電率εｒ０とほぼ同じ値に設定されている。そして、誘電体部材４１は、互いに並設された２本の信号線路３３，３４間、信号線路３５，３６間および信号線路３７，３８間の隙間をそれぞれ埋めている。
【００９４】
４２，４３は積層体３２の四隅側にそれぞれ設けられた信号用電極端子で、該信号用電極端子４２，４３は、第１の実施の形態と同様に導電性金属材料等によって略コ字状に形成されている。そして、一端側の信号用電極端子４２，４３は信号線路３３，３４の電極部３３Ａ，３４Ａに接続されると共に、他端側の信号用電極端子４２，４３は信号線路３７，３８の電極部３７Ｂ，３８Ｂに接続されている。
【００９５】
４４は積層体３２の長さ方向中間位置で幅方向の両端側にそれぞれ設けられたグランド用電極端子で、該グランド用電極端子４４は、第１の実施の形態と同様に導電性金属材料等によって略コ字状に形成されると共に、グランド電極３９の電極部３９Ａに接続されている。
【００９６】
かくして、このように構成される本実施の形態でも、前記第１の実施の形態とほぼ同様の作用効果を得ることができる。しかし、本実施の形態では、第１の信号線路３３，３５，３７を直列接続すると共に、第２の信号線路３４，３６，３８を直列接続したから、第１の信号線路３３，３５，３７の全長と第２の信号線路３４，３６，３８の全長をそれぞれ長くすることができ、ノイズの減衰量を増加させることができる。
【００９７】
なお、材料の選定、配線の方法等は第３の実施の形態に示したものに限らず、第１の実施の形態と同様に種々の変更が可能である。また、第１，第２の信号配線をコイル状に形成する場合には、各層において第１，第２の信号配線のうち内周側に位置する信号線路の長さ寸法が外周側に位置する信号線路の長さ寸法に比べて短くなる。このため、第１，第２の信号線路の全長の長さ寸法をほぼ一致させるためには、層毎に第１，第２の信号線路の位置を内周側と外周側とで入換える構成とするのが好ましい。
【００９８】
次に、図１７ないし図２０は本発明の第４の実施の形態によるノイズフィルタを示し、本実施の形態によるノイズフィルタの特徴は、誘電体層の表面に２本の信号線路を並設し、誘電体層の裏面にグランド電極を設けると共に、２本の信号線路の間には切込み溝を凹設したことにある。
【００９９】
５１は本実施の形態によるノイズフィルタで、該ノイズフィルタ５１は後述する誘電体層５２ａ，５２ｂ、信号線路５３，５４、グランド電極５５、切込み溝５７、信号用電極端子５８，５９、グランド用電極端子６０によって大略構成されている。
【０１００】
５２はノイズフィルタ５１の外形を構成する略角柱状の積層体で、該積層体５２は、２層の誘電体層５２ａ，５２ｂを焼成することによって形成され、各誘電体層５２ａ，５２ｂは、セラミックス材料等の誘電体を用いて略四角形の板状に形成されている。そして、誘電体層５２ａ，５２ｂは、１よりも大きな比誘電率εｒ２を有する（εｒ２＞１）と共に、その比透磁率μｒ２はほぼ１程度の値に設定されている（μｒ２≒１）。
【０１０１】
５３，５４は誘電体層５２ａの表面に配設された２本の信号線路で、該信号線路５３，５４は、一定の間隔をもって平行に延び、ジグザグ状をなしつつ誘電体層５２ａの長さ方向に向けて延びている。そして、信号線路５３，５４は、第１の実施の形態と同様に導電性金属材料によって略帯状に形成され、後述するグランド電極５５によってその裏面側が略全長に亘って覆われることによって伝送線路５６を形成している。また、信号線路５３，５４は、その両端側が電極部５３Ａ，５４Ａとなって後述の信号用電極端子５８，５９にそれぞれ接続されている。
【０１０２】
５５は誘電体層５２ａの裏面側（誘電体層５２ａ，５２ｂ間）に設けられたグランド電極で、該グランド電極５５は、導電性金属材料を用いて略四角形の平板状に形成され、誘電体層５２ａの裏面側を略全面に亘って覆っている。また、グランド電極５５のうち略四角状をなす誘電体層５２ａの長さ方向中間位置には、幅方向両端側に向けて舌状に突出して延びる電極部５５Ａが設けられ、該電極部５５Ａは後述のグランド用電極端子６０に接続されている。そして、グランド電極５５は、誘電体層５２ａおよび２本の信号線路５３，５４と一緒に伝送線路５６を構成している。
【０１０３】
５７は２本の信号線路５３，５４の間に位置して誘電体層５２ａの表面に凹設された切込み溝で、該切込み溝５７は、信号線路５３，５４に沿ってジグザグ状に形成されると共に、信号線路５３，５４間のほぼ中央に位置してグランド電極５５に向けて所定の深さ寸法を有している。ここで、切込み溝５７の深さ寸法は、ノーマルモードの電束Ｄｎが通過し、コモンモードの電束Ｄｃが通過しない程度の値に設定されている。そして、切込み溝５７の内部には、比誘電率εｒ３と比透磁率μｒ３がいずれも１程度となった空隙５７Ａが画成されている。
【０１０４】
５８，５９は積層体５２の四隅側にそれぞれ設けられた信号用電極端子で、該信号用電極端子５８，５９は、第１の実施の形態と同様に導電性金属材料等によって略コ字状に形成されると共に、信号線路５３，５４の電極部５３Ａ，５４Ａにそれぞれ接続されている。
【０１０５】
６０は積層体５２の長さ方向中間位置で幅方向の両端側にそれぞれ設けられたグランド用電極端子で、該グランド用電極端子６０は、第１の実施の形態と同様に導電性金属材料等によって略コ字状に形成されると共に、グランド電極５５の電極部５５Ａに接続されている。
【０１０６】
かくして、本実施の形態では誘電体層５２ａの表面に２本の信号線路５３，５４を並設し、誘電体層５２ａの裏面にグランド電極５５を設けたから、誘電体層５２ａによる誘電損失（熱損失）を用いることによってコモンモードノイズを抑制することができる。また、グランド電極５５を用いて信号線路５３，５４の裏面側を全長に亘って覆うことにより伝送線路５６を形成するから、伝送線路５６の全長に亘って特性インピーダンスを一定値に設定することができる。このため、外部の回路とのインピーダンス整合を容易に取ることができると共に、伝送線路５６の途中でノイズが反射することがなく、共振によるノイズの増大を防止することができる。
【０１０７】
また、２本の信号線路５３，５４の間には切込み溝５７を凹設したから、図１９および図２０に示すように、ノーマルモードで発生する電束Ｄｎは切込み溝５７の空隙５７Ａを通過するのに対し、コモンモードで発生する電束Ｄｃは空隙５７Ａを通過しない。このため、空隙５７Ａを用いてコモンモードの実効比誘電率εｗｃに影響を与えることなく、ノーマルモードの実効比誘電率εｗｎを低下させることができる。従って、第１の実施の形態と同様に、ノーマルモードの損失だけを低下させることができ、信号波形に影響を与えずにノイズ除去効果を高めることができる。
【０１０８】
なお、前記第４の実施の形態では、誘電体層５２ａの表面は露出するものとしたが、例えば誘電体層５２ａの比誘電率εｒ２よりも低い比誘電率を有する樹脂材料等によって覆う構成としてもよい。
【０１０９】
また、材料の選定、配線の方法等はここに示したものに限らず、第１の実施の形態と同様に種々の変更が可能である。
【０１１０】
次に、図２１ないし図２３は本発明の第５の実施の形態によるノイズフィルタを示し、本実施の形態によるノイズフィルタの特徴は、互いに重なり合う３層の磁性体層のうち中間の磁性体層を挟んで２本の信号線路を並設すると共に、３層の磁性体層の最上層と最下層とにグランド電極を設けて伝送線路を構成したことにある。
【０１１１】
６１は本実施の形態によるノイズフィルタで、該ノイズフィルタ６１は後述する磁性体層６２ａ〜６２ｃ、信号線路６３，６４、グランド電極６５、誘電体部材６７、信号用電極端子６８，６９、グランド用電極端子７０によって大略構成されている。
【０１１２】
６２はノイズフィルタ６１の外形を構成する略角柱状の積層体で、該積層体６２は、３層の磁性体層６２ａ〜６２ｃからなり、上層と下層の磁性体層６２ａ，６２ｃは例えばフェライトによって形成され、中間層の磁性体層６２ｂは例えばポリイミドにフェライト粉末を混練した磁性体コンポジット材料によって形成されている。そして、磁性体層６２ａ〜６２ｃは、略四角形（長方形）の板状に形成されている。
【０１１３】
６３，６４は中間の磁性体層６２ｂの表面と裏面とにそれぞれ配設された２本の信号線路で、該信号線路６３，６４は、磁性体層６２ｂを挟んで互いに対向すると共に、一定の間隔をもって平行に延び、ジグザグ状をなしつつ磁性体層６２ｂの長さ方向に向けて延びている。そして、信号線路６３，６４は、第１の実施の形態と同様に導電性金属材料によって略帯状に形成され、後述するグランド電極６５によって略全長に亘って覆われることによって伝送線路６６を形成している。また、信号線路６３，６４は、その両端側が電極部６３Ａ，６４Ａとなって後述の信号用電極端子６８，６９にそれぞれ接続されている。
【０１１４】
なお、信号線路６３，６４の幅寸法Ｗ１，Ｗ２はほぼ同じ値に設定してもよく、異なる値に設定してもよい。製造時の信号線路６３，６４の位置ずれを考慮すると、図２３に示すように、下層側の信号線路６４の幅寸法Ｗ２は、上層側の信号線路６３の幅寸法Ｗ１よりも大きい値に設定してもよい。
【０１１５】
６５は磁性体層６２ａの表面側と磁性体層６２ｃの裏面側とにそれぞれ設けられた２枚のグランド電極で、これらのグランド電極６５は、積層体６２を上，下方向から挟んでいる。また、グランド電極６５は、導電性金属材料を用いて略四角形の平板状に形成され、磁性体層６２ａ，６２ｃを略全面に亘って覆っている。さらに、グランド電極６５のうち略四角状をなす磁性体層６２ａ，６２ｃの長さ方向中間位置には、幅方向両端側に向けて舌状に突出して延びる電極部６５Ａが設けられ、該電極部６５Ａは後述のグランド用電極端子７０に接続されている。そして、グランド電極６５は、磁性体層６２ａ〜６２ｃおよび２本の信号線路６３，６４と一緒に伝送線路６６を構成している。
【０１１６】
６７は２本の信号線路６３，６４の間に設けられた異性媒質としての誘電体部材で、該誘電体部材６７は、例えばポリイミドによって形成され、その比透磁率μｒ１が磁性体層６２ａ〜６２ｃの比透磁率μｒ０よりも小さい値（μｒ１≒１）に設定されると共に、その比誘電率εｒ１が磁性体層６２ａ〜６２ｃの比誘電率εｒ０とほぼ同じ値に設定されている。そして、誘電体部材６７は、互いに並設された２本の信号線路６３，６４に沿って磁性体層６２ｂ内にジグザグ状に形成されている。
【０１１７】
なお、誘電体部材６７の幅寸法Ｗ３は、信号線路６３，６４の幅寸法Ｗ１，Ｗ２とほぼ同じ値に設定してもよく、加工精度等を考慮して幅寸法Ｗ１，Ｗ２よりも大きい値に設定してもよい。
【０１１８】
６８，６９は積層体６２の四隅側にそれぞれ設けられた信号用電極端子で、該信号用電極端子６８，６９は、第１の実施の形態と同様に導電性金属材料等によって形成されると共に、信号線路６３，６４の電極部６３Ａ，６４Ａにそれぞれ接続されている。
【０１１９】
７０は積層体６２の長さ方向中間位置で幅方向の両端側にそれぞれ設けられたグランド用電極端子で、該グランド用電極端子７０は、第１の実施の形態と同様に導電性金属材料等によって略コ字状に形成されると共に、グランド電極６５の電極部６５Ａに接続されている。
【０１２０】
かくして、このように構成される本実施の形態でも、前記第１の実施の形態とほぼ同様の作用効果を得ることができる。
【０１２１】
なお、材料の選定、配線の方法等はここに示したものに限らず、第１の実施の形態と同様に種々の変更が可能である。
【０１２２】
また、前記各実施の形態では、信号線路３，４，１３，１４，３３〜３８，５３，５４，６３，６４をジクザグ状、コイル状等に形成するものとした。しかし、本発明はこれに限らず、例えば直線状の信号線路を形成してもよい。
【０１２３】
さらに、前記各実施の形態では、２本の信号線路（例えば信号線路３，４間）に異性媒質としての誘電体部材７等を設ける構成とした。しかし、本発明はこれに限らず、異性媒質はコモンモードの信号とノーマルモードの信号とが作る電磁界のうち概ねいずれか一方のモードの信号が作る電磁界のみが存在する部位であればいずれの位置に配置してもよく、例えば図３中に一点鎖線で示すように信号線路３，４間から厚さ方向で表面側と裏面側とで離間した位置に異性媒質７１を配置してもよい。このとき、コモンモードによる磁束φｃは異性媒質７１を通過し、ノーマルモードによる磁束φｎは異性媒質７１を通過しないから、異性媒質７１を磁性体層２ｂ，２ｃよりも比透磁率の高い磁性体材料を選択することによって、ノーマルモードに影響を与えることなく、コモンモードの損失を増大させることができる。
【０１２４】
また、前記第２および第３の実施の形態では、異性媒質として非磁性体媒質からなる誘電体部材１７，４１を用いる構成とした。しかし、本発明はこれに限らず、第１の実施の形態と同様に、異性媒質として低透磁率媒質または空隙を用いてもよい。
【０１２５】
さらに、前記第１ないし第４の実施の形態では、２本の信号線路３，４，１３，１４，３３〜３８，５３，５４は互いに同一層に位置して水平方向に離間するものとした。しかし、本発明はこれに限らず、図２４に示す第２の変形例のように、２本の信号線路３″，４″は積層体２″内で異なる層に位置して厚さ方向に離間して配置する構成としてもよい。この場合、第５の実施の形態と同様に、磁性体層２ｂ″，２ｃ″間には磁性体層２ｂ″，２ｃ″とほぼ同じ磁性材料からなる磁性体層８１が設けられると共に、磁性体層８１には信号線路３″，４″間に位置して異性媒質として例えば誘電体部材８２が配置されるものである。
【０１２６】
【発明の効果】
以上詳述した通り、請求項１の発明によれば、絶縁性媒質には２本の信号線路を並設したから、これらの信号線路およびグランド電極によって構成される伝送線路における絶縁性媒質の熱損失を利用して伝送線路を伝搬する信号を減衰させることができる。また、２本の信号線路は間隔をもって並設されているから、絶縁性媒質に形成される電磁界分布はコモンモードとノーマルモードとで異なり、各モード毎に信号の減衰量が異なる。さらに、絶縁性媒質にはコモンモードの信号とノーマルモードの信号とが作る電磁界のうち概ねいずれか一方のモードの信号が作る電磁界のみが存在する部位に絶縁性媒質とは異なる異性媒質を配設したから、異性媒質によって一方のモードに対する実質的な媒質の特性を変化させることができる。このため、各モード毎に信号の減衰量を調整することができ、必要なモードの信号の損失を小さくでき、または不要なモードの信号の損失を大きくすることができる。
【０１２７】
請求項２の発明によれば、複数層の絶縁層間に２本の信号線路を並設し、該２本の信号線路を含んで絶縁性媒質を２つのグランド電極によって挟むことにより伝送線路を構成したから、絶縁層の熱損失を利用して伝送線路を伝搬する信号を減衰させることができる。また、絶縁性媒質にはコモンモードの信号とノーマルモードの信号とが作る電磁界のうち概ねいずれか一方のモードの信号が作る電磁界のみが存在する部位に絶縁性媒質とは異なる異性媒質を配設したから、該異性媒質によって各モード毎に実効的な材料特性を変化させることができる。この結果、各モード毎に信号の減衰量を調整することができ、必要なモードの信号の損失を小さくでき、または不要なモードの信号の損失を大きくすることができる。
【０１２８】
また、複数層の絶縁層間に信号線路を配設すると共に、２本の信号線路を含んで絶縁性媒質を２つのグランド電極によって挟むから、グランド電極によって２層の絶縁層間に位置する信号線路をその全長に亘って覆うことにより伝送線路を構成することができる。このため、伝送線路の全長に亘ってコモンモード特性インピーダンスを一定値に設定できるから、伝送線路の途中でノイズに反射が生じることがなく、ノイズの共振を抑制することができる。
【０１２９】
また、絶縁性媒質に設けた異性媒質によって、伝送線路のノーマルモード特性インピーダンスとコモンモード特性インピーダンスとを個別に設定することができるから、ノーマルモード特性インピーダンスは外部に回路に対して整合させた状態で、コモンモード特性インピーダンスは外部の回路に対して整合を外す構成と整合を取る構成とのいずれの構成も選択できる。そして、いずれの構成を選択した場合でも、反射かつ／または熱損失を利用して従来技術に比べてコモンモード信号に対する伝送損失を大きくすることができる。特に、本発明の構成では、従来技術で見られた高周波域（数１００ＭＨｚ以上）での挿入損失の共振点がないから、１０ＧＨｚ程度までノイズの減衰効果を得ることができる。また、ノーマルモード特性インピーダンスは外部の回路に対して容易に整合させることができ、共振等によるノーマルモード信号波形への影響を少なくすることができる。
【０１３０】
請求項３の発明によれば、複数層の絶縁層間に間隔をもって２本の信号線路を並設し、該２本の信号線路を含んで絶縁性媒質を２つのグランド電極で挟むことにより伝送線路を形成すると共に、該伝送線路を相互に直列接続した状態で積み重ねたから、絶縁層の熱損失を利用して伝送線路を伝搬する信号を減衰させることができる。また、絶縁性媒質にはコモンモードの信号とノーマルモードの信号とが作る電磁界のうち概ねいずれか一方のモードの信号が作る電磁界のみが存在する部位に絶縁性媒質とは異なる異性媒質を配設したから、各モード毎に信号の減衰量を調整することができ、必要なモードの信号の損失を小さくでき、または不要なモードの信号の損失を大きくすることができる。
【０１３１】
また、全ての信号線路の幅寸法をほぼ等しい値に設定すると共に、全ての絶縁層の厚さ寸法をほぼ等しい値に設定した場合には、伝送線路のコモンモード特性インピーダンスとノーマルモード特性インピーダンスをいずれも各層間で相互にほぼ一致させることができる。このため、相互に直列接続された伝送線路の全体に亘ってコモンモード特性インピーダンスをほぼ一定値に設定できるから、伝送線路の途中でノイズに反射が生じることがなく、ノイズの共振を抑制することができる。さらに、複数層の伝送線路を直列接続したから、伝送線路の全長を長くすることができ、伝送線路を通過するノイズの減衰量を増加させることができる。
【０１３２】
また、絶縁性媒質に設けた異性媒質によって、伝送線路のノーマルモード特性インピーダンスとコモンモード特性インピーダンスとを個別に設定することができるから、ノーマルモード特性インピーダンスは外部に回路に対して整合させた状態で、コモンモード特性インピーダンスは外部の回路に対して整合を外す構成と整合を取る構成とのいずれの構成も選択できると共に、いずれの場合でも、反射かつ／または熱損失を利用して従来技術に比べてコモンモード信号に対する伝送損失を大きくすることができる。特に、本発明の構成では、従来技術で見られた高周波域（数１００ＭＨｚ以上）での挿入損失の共振点がないから、１０ＧＨｚ程度までノイズの減衰効果を得ることができる。また、ノーマルモード特性インピーダンスは外部の回路に対して容易に整合させることができ、共振等によるノーマルモード信号波形への影響を少なくすることができる。
【０１３３】
請求項４の発明によれば、絶縁性媒質の表面に２本の信号線路を並設し、絶縁性媒質の裏面にグランド電極を設けることにより伝送線路を形成したから、絶縁性媒質の熱損失を利用して伝送線路を伝搬する信号を減衰させることができる。また、絶縁性媒質にはコモンモードの信号とノーマルモードの信号とが作る電磁界のうち概ねいずれか一方のモードの信号が作る電磁界のみが存在する部位に異性媒質を配設したから、該異性媒質によって各モード毎に実効的な材料特性を変化させることができる。この結果、各モード毎に信号の減衰量を調整することができ、必要なモードの信号の損失を小さくでき、または不要なモードの信号の損失を大きくすることができる。さらに、グランド電極によって２本の信号線路を絶縁性媒質の裏面側から全長に亘って覆うことができるから、各伝送線路の全長に亘ってコモンモード特性インピーダンスを一定値に設定でき、伝送線路の途中でノイズの反射、共振が生じるのを抑制することができる。
【０１３４】
また、絶縁性媒質に設けた異性媒質によって、伝送線路のノーマルモード特性インピーダンスとコモンモード特性インピーダンスとを個別に設定することができるから、ノーマルモード特性インピーダンスは外部に回路に対して整合させた状態で、コモンモード特性インピーダンスは外部の回路に対して整合を外す構成と整合を取る構成とのいずれの構成も選択できると共に、いずれの場合でも、反射かつ／または熱損失を利用して従来技術に比べてコモンモード信号に対する伝送損失を大きくすることができる。特に、本発明の構成では、従来技術で見られた高周波域（数１００ＭＨｚ以上）での挿入損失の共振点がないから、１０ＧＨｚ程度までノイズの減衰効果を得ることができる。また、ノーマルモード特性インピーダンスは外部の回路に対して容易に整合させることができ、共振等によるノーマルモード信号波形への影響を少なくすることができる。
【０１３５】
請求項５の発明によれば、異性媒質を２本の信号線路の間に配置したから、２つのモードのうちノーマルモードの磁束または電束だけが通過する位置に異性媒質を配置でき、ノーマルモードに対する実効比透磁率または実効比誘電率を調整することができる。
【０１３６】
請求項６の発明によれば、絶縁性媒質は磁性体からなる磁性体媒質によって形成したから、磁性体媒質の磁性損失（熱損失）を用いて信号を減衰させることができる。また、２本の信号線路の間には、磁性体媒質よりも比透磁率が小さい低透磁率媒質、非磁性体媒質または空隙を配置するから、２つのモードのうちノーマルモードに対する実効比透磁率を低下させることができ、ノーマルモードの信号を波形なまりが生じることなく伝達することできる。
【０１３７】
請求項７の発明によれば、絶縁性媒質は誘電体からなる誘電体媒質によって形成したから、誘電体媒質の誘電損失（熱損失）を用いて信号を減衰させることができる。また、誘電体媒質の表面には２本の信号線路の間に位置した切込み溝を凹設したから、切込み溝の内部に画成した空隙によって２つのモードのうちノーマルモードに対する実効比誘電率を低下させることができ、ノーマルモードの信号の損失を小さくすることができる。
【０１３８】
請求項８の発明によれば、絶縁性媒質は磁性体からなる磁性体媒質によって形成し、異性媒質は２本の信号線路の間に位置して該磁性体媒質よりも比透磁率が小さい低透磁率媒質、非磁性体媒質または空隙によって形成し、該低透磁率媒質等よりも比透磁率が高いコーティング膜によって該低透磁率媒質等と前記２本の信号線路とを覆う構成としたから、磁性体媒質およびコーティング膜の磁性損失（熱損失）を用いて信号を減衰させることができる。また、２本の信号線路の間には低透磁率媒質等を配置するから、２つのモードのうちノーマルモードに対する実効比透磁率を低下させることができ、コモンモードの信号は減衰させることができると共に、ノーマルモードの信号は波形なまりが生じることなく伝達することできる。
【０１３９】
請求項９，１０の発明によれば、信号線路をジグザグ状またはコイル状に形成したから、信号線路を直線状に形成した場合に比べて、その長さ寸法を増加させることができ、不要なモードの信号（ノイズ）に対する減衰量を増加させることができる。
【図面の簡単な説明】
【図１】第１の実施の形態によるノイズフィルタを示す斜視図である。
【図２】第１の実施の形態によるノイズフィルタを分解して示す分解斜視図である。
【図３】ノーマルモードの信号が伝搬している状態でノイズフィルタを図１中の矢示ＩＩＩ−ＩＩＩ方向からみた断面図である。
【図４】コモンモードの信号が伝搬している状態でノイズフィルタを示す図３と同様な位置の断面図である。
【図５】コモンモードの信号に対する伝送線路の等価回路を示す回路図である。
【図６】高周波のコモンモードの信号に対する伝送線路の等価回路を示す回路図である。
【図７】周波数に対する透磁率の実部と虚部を示す特性線図である。
【図８】誘電体部材を設けない場合の周波数に対する透磁率の実部と虚部を示す特性線図である。
【図９】誘電体部材を設けた場合の周波数に対する透磁率の実部と虚部を示す特性線図である。
【図１０】第１の変形例によるノイズフィルタを分解して示す分解斜視図である。
【図１１】第２の実施の形態によるノイズフィルタを示す斜視図である。
【図１２】第２の実施の形態によるノイズフィルタを分解して示す分解斜視図である。
【図１３】ノーマルモードの信号が伝搬している状態でノイズフィルタを図１１中の矢示ＸＩＩＩ−ＸＩＩＩ方向からみた断面図である。
【図１４】コモンモードの信号が伝搬している状態でノイズフィルタを示す図１３と同様な位置の断面図である。
【図１５】第３の実施の形態によるノイズフィルタを示す斜視図である。
【図１６】第３の実施の形態によるノイズフィルタを分解して示す分解斜視図である。
【図１７】第４の実施の形態によるノイズフィルタを示す斜視図である。
【図１８】第４の実施の形態によるノイズフィルタを分解して示す分解斜視図である。
【図１９】ノーマルモードの信号が伝搬している状態でノイズフィルタを図１７中の矢示ＸＩＸ−ＸＩＸ方向からみた断面図である。
【図２０】コモンモードの信号が伝搬している状態でノイズフィルタを示す図１９と同様な位置の断面図である。
【図２１】第５の実施の形態によるノイズフィルタを示す斜視図である。
【図２２】第５の実施の形態によるノイズフィルタを分解して示す分解斜視図である。
【図２３】ノイズフィルタを図２１中の矢示ＸＸＩＩＩ−ＸＸＩＩＩ方向からみた断面図である。
【図２４】第２の変形例によるノイズフィルタを示す図３と同様な位置の断面図である。
【符号の説明】
１，１１，３１，５１，６１，１″　ノイズフィルタ
２，１２，３２，５２，６２，２″　積層体（絶縁性媒質）
２ａ〜２ｄ，１２ａ，１２ｂ，３２ａ〜３２ｈ，６２ａ〜６２ｃ，８１，２ａ″〜２ｄ″　磁性体層（絶縁層）
３，４，１３，１４，３３〜３８，５３，５４，６３，６４，３′，４′，３″，４″　信号線路
５，１５，３９，５５，６５，５″　グランド電極
６，１６，４０Ａ，４０Ｂ，４０Ｃ，５６，６６，６′，６″　伝送線路
７，１７，４１，６７，８２，７′　誘電体部材（非磁性体媒質）
５２ａ，５２ｂ　誘電体層（絶縁層）
５７　切込み溝
５７Ａ　空隙
７１　異性媒質
【図１】
2004140788.tif 000003
【図２】
2004140788.tif 000004
【図３】
2004140788.tif 000005
【図４】
2004140788.tif 000006
【図５】
2004140788.tif 000007
【図６】
2004140788.tif 000008
【図７】
2004140788.tif 000009
【図８】
2004140788.tif 000010
【図９】
2004140788.tif 000011
【図１０】
2004140788.tif 000012
【図１１】
2004140788.tif 000013
【図１２】
2004140788.tif 000014
【図１３】
2004140788.tif 000015
【図１４】
2004140788.tif 000016
【図１５】
2004140788.tif 000017
【図１６】
2004140788.tif 000018
【図１７】
2004140788.tif 000019
【図１８】
2004140788.tif 000020
【図１９】
2004140788.tif 000021
【図２０】
2004140788.tif 000022
【図２１】
2004140788.tif 000023
【図２２】
2004140788.tif 000024
【図２３】
2004140788.tif 000025
【図２４】
2004140788.tif 000026